(57)【要約】      （修正有）【課題】安価な材料にて製造可能であるとともに簡易な構成であって、製造や組み立てが容易な仮想現実眼鏡を得る。【解決手段】一枚のシートを折曲して成る箱型眼鏡であって、シートは、四角形状の底面部と、底面部の一辺に連続する正面部３と、底面部の一辺と対向する他辺に連続する背面部と、底面部の一辺及び他辺と交差する一対の側辺に連続する一対の側面部８と、正面部又は背面部に連続する上面部１０と、底面部、正面部、背面部、一対の側面部、及び上面部の境界部分に設けた折り線とを備え、折り線に沿ってシートを折曲することにより箱型に形成可能とし、正面部には、レンズ２５を被覆した一対の開口穴２４を備える。一対の側面部には、折り線を介して延長片１２を設け、組み立て完成時には、延長片と背面部との間にスマートフォン３３を厚さ方向に挿入可能とする挿入間隔が形成される。【選択図】図７
0003216030.tif 000002
【実用新案登録請求の範囲】
【請求項１】
一枚のシートを折曲して成る箱型であって、このシートは、四角形状の底面部と、この底面部の一辺に連続する正面部と、上記底面部の一辺と対向する他辺に連続する背面部と、前記底面部において一辺及び他辺とは交差方向の一対の側辺に連続する一対の側面部と、前記正面部又は背面部に連続する上面部と、上記底面部、正面部、背面部、一対の側面部、及び上面部の隣接する各境界部分に設けた折り線とを備え、この折り線に沿って該シートを折曲することにより箱型に組み立て可能とし、上記正面部には、レンズにて被覆した一対の開口穴を備えるとともに、上記一対の側面部には、折り線を介して延長片を設け、組み立て完成時には、この延長片と背面部との間にスマートフォンを厚さ方向に挿入可能とする挿入間隔が形成されることを特徴とする組み立て式の箱型仮想現実体験眼鏡。
【請求項２】
延長片には背面部側の側縁に切欠凹部及び折り線を設け、組み立て時にこの折り線にて折曲してこの延長片の先端側を上面部と底面部との間に立設させることにより、この延長片の切欠凹部と背面部とによりスマートフォンの挿入間隔が形成されるとともに、この延長片によって、挿入間隔内に配置したスマートフォンの立設状態を保持可能とすることを特徴とする組み立て式の箱型仮想現実体験眼鏡。
【考案の詳細な説明】
【技術分野】
【０００１】
本考案は、臨場感のある映像を体感することができる箱型の仮想現実体験眼鏡に関するものである。
【背景技術】
【０００２】
従来より、特許文献１に示す如くスマートフォンを内部に装着して使用する折り畳み式の仮想現実眼鏡が既に公知となっている。この仮想現実眼鏡は、小型で携帯可能であって、レンズを通して内部に装着したスマートフォンの映像を観ることにより、臨場感のある映像を手軽に体感することができるものである。
【０００３】
【特許文献１】特開２０１６−２２４９０８号公報
【考案の開示】
【考案が解決しようとする課題】
【０００４】
しかしながら、上記の如き仮想現実眼鏡は、構造が複雑であるとともに部品点数が多く構造が複雑であることから、製造が煩雑であるとともに製造コストが高くつくものとなっていた。
【０００５】
そこで、本考案は上述の如き課題を解決しようとするものであって、安価な材料にて製造可能であるとともに簡易な構成であって、製造や組み立てが容易な仮想現実眼鏡を得ようとするものである。
【課題を解決するための手段】
【０００６】
本考案は上述の如き課題を解決するため、一枚のシートを折曲して成る箱型であって、このシートは、四角形状の底面部と、この底面部の一辺に連続する正面部と、上記底面部の一辺と対向する他辺に連続する背面部と、前記底面部において一辺及び他辺とは交差方向の一対の側辺に連続する一対の側面部と、前記正面部又は背面部に連続する上面部と、上記底面部、正面部、背面部、一対の側面部、及び上面部の隣接する各境界部分に設けた折り線とを備え、この折り線に沿って該シートを折曲することにより箱型に組み立て可能とし、上記正面部には、レンズにて被覆した一対の開口穴を備えるとともに、上記一対の側面部には、折り線を介して延長片を設け、組み立て完成時には、この延長片と背面部との間にスマートフォンを厚さ方向に挿入可能とする挿入間隔が形成されるものである。
【０００７】
また、延長片には背面部側の側縁に切欠凹部及び折り線を設け、組み立て時にこの折り線にて折曲してこの延長片の先端側を上面部と底面部との間に立設させることにより、この延長片の切欠凹部と背面部とによりスマートフォンの挿入間隔が形成されるとともに、この延長片によって、挿入間隔内に配置したスマートフォンの立設状態を保持可能とするものであってもよい。
【考案の効果】
【０００８】
本考案は上述の如くシートからなる簡易な構成であるから、製造が容易で製造コストを低く抑えることができる。また、シートを折り曲げるのみで容易に組み立てることができるとともに持参のスマートフォンを用いることにより、容易に仮想現実体験眼鏡を得ることができるものである。またシートにて構成するものであるから、様々な文字、色、柄、模様など容易に印刷することが可能であるため、デザイン性を向上させたり、ロゴやキャラクターを印刷して広告としての機能を持たせたりすることができる。
【実施例１】
【０００９】
以下、本考案の一実施例を図１〜９に於いて説明すると、(１)はシートであって、厚紙にて形成している。このようにシート(1)にて構成することにより、様々な文字、色、柄、模様など容易に印刷することが可能であるため、デザイン性を向上させたり、ロゴやキャラクターを印刷して広告としての機能を持たせたりすることができる。
【００１０】
そしてこのシート(1)は、長方形状の底面部(2)と、この底面部(2)の一辺(5)に連続する正面部(3)と、上記底面部(2)の一辺(5)と対向する他辺(6)に連続する背面部(4)と、前記底面部(2)において一辺(5)及び他辺(6)と直交する一対の側辺(7)に設けた一対の側面部と、前記背面部(4)に連続する上面部(10)とを備えている。また、上記底面部(2)、正面部(3)、背面部(4)、一対の側面部(8)、及び上面部(10)の境界部分には、図１の点線に示す如く折り線(11)を備えている。
【００１１】
また一対の側面部(8)には、上記折り線(11)を介して延長片(12)を設けている。そしてこの延長片(12)にも上記折り線(11)と平行な折り線(43)を設け、この折り線(43)よりも側面部(8)側を第１延長片(13)、この折り線(11)よりも先端側を第２延長片(14)としている。そしてこの第２延長片(14)の寸法や形状を、側面部(8)の形状と同一としている。また正面部(3)には、組み立て時に上面部(10)の下方に配置する補助上面部(15)を、折り線(11)を介して設けている。
【００１２】
また上記一対の延長片(12)には、第１延長片(13)から第２延長片(14)にかけて、それぞれ背面部(4)側の側縁(44)に沿って切欠凹部(37)を設けている。また、正面部(3)と側面部(8)との間には三角形状の第１マチ部(18)を、それぞれ折り線(11)を介して設けるとともに、背面部(4)と側面部(8)との間にも、Ｌ字型の第２マチ部(20)を、それぞれ折り線(11)を介して設けている。また、補助上面部(15)の両側、及び第２延長片(14)の先端縁(22)には、それぞれ略長方形状の突出小片(23)を設けている。
【００１３】
また正面部(3)の中央部には一対の円形の開口穴(24)を設けており、この一対の開口穴(24)の開口間隔を、人間の両目に対応可能な間隔に調整している。またこの一対の開口穴(24)には、この開口穴(24)の位置に対応可能な一対のレンズ(25)を備えたレンズプレート(26)を、正面部(3)の裏面に固定配置している。また上面部(10)の裏面には、図１に示す如く上端縁側の両側部に、ベロクロスファスナーにて形成した係合具(40)を固定配置するとともに、この係合具(40)に係合可能な係合受具(41)を、補助上面部(15)の表面側にそれぞれ固定配置している。
【００１４】
上記の如く構成したシート(1)を折曲して箱型の仮想現実体験眼鏡を組み立てる方法について説明する。まず、図２に示す如く側面部(8)と第１延長片(13)との間の折り線(11)を折曲して底面部(2)と側面部(8)が９０度をなすようにするとともに、第１延長片(13)と第２延長片(14)との間の折り線(43)を内方に折曲して一対の第２延長片(14)を底面部(2)の中央で、底面部(2)に対して垂直方向に重ねあわせる。
【００１５】
そして、この一対の第２延長片(14)に設けた突出小片(23)を、図２の矢印に示す如く底面部(2)の長さ方向中央に設けたスリット(27)に挿入して底面部(2)側に折り返す。これにより、図３に示す如く、底面部(2)と、一対の側面部(8)と、一対の第１延長片(13)と、一対の第２延長片(14)とによって、一対の四角筒(28)が形成されるものとなる。
【００１６】
次に、図３に示す如く第１マチ部(18)を内方に折り込んだ状態で、正面部(3)と底面部(2)との間の折り線(11)に沿って正面部(3)を底面部(2)に対して垂直に折曲するとともに、正面部(3)と補助上面部(15)との間の折り線(11)に沿って補助上面部(15)を正面部(3)に対して垂直に折曲する。またこの折曲時には、この補助上面部(15)の両側に設けた一対の突出小片(23)を、図３の矢印に示す如く側面部(8)と第１延長片(13)との間の折り線(11)に沿って設けたスリット(30)に差し入れることにより、図４に示す如く第１延長片(13)の上面に補助上面部(15)を重ねた状態で固定配置する。
【００１７】
次に、図４に示す如く第２マチ部(20)を内方に折り込んだ状態で、背面部(4)と底面部(2)との間の折り線(11)に沿って背面部(4)を底面部(2)に対して垂直に折曲するとともに、背面部(4)と上面部(10)との間の折り線(11)に沿って上面部(10)を背面部(4)に対して垂直に折曲する。そして、この折曲と同時に、上面部(10)の係合具(40)を補助上面部(15)の係合受具(41)に係合することにより、補助上面部(15)の上面に上面部(10)を重ねて固定配置する。また上記の如く背面部(4)を底面部(2)に対して垂直に折曲することにより、図６に示す如く背面部(4)と、延長片(12)の一対の切欠凹部(37)とにより、スマートフォン(33)の挿入間隔(42)が形成されるものとなる。これにより、本実施例の箱型仮想現実体験眼鏡の組み立てが完了する。
【００１８】
次に、この箱型仮想現実体験眼鏡を使用する場合について説明する。まず使用するスマートフォン(33)に、この眼鏡で体験したい映像を画面(34)に映し出す。そして図７に示す如く、挿入間隔(42)の挿入開口(16)からこのスマートフォン(33)を横長方向にするとともに画面(34)をレンズ(25)に対向させた状態で、挿入間隔(42)内に挿入配置する。そして上面部(10)を補助上面部(15)に被覆固定する。
【００１９】
ここで、上記の如く組み立てた箱型仮想現実体験眼鏡内にスマートフォン(33)を挿入配置した際には、図６、８に示す如く、背面部(4)とは間隔を介して第２延長部が底面部(2)に対して垂直方向に組みつけられていることから、スマートフォン(33)はこの第２延長部と背面部(4)との間に立設した状態で保持される。そのため、箱型仮想現実体験眼鏡内ではスマートフォン(33)の画面(34)とレンズ(25)とが常に対向した状態を保つことができる。
【００２０】
そして、図９に示す如く使用者(35)が両眼にレンズ(25)を配置することにより、このレンズ(25)を通してスマートフォン(33)が映し出す臨場感のある動画を、まるでその場にいるかのような没入感を体感しつつ楽しむことが可能となる。
【図面の簡単な説明】
【００２１】
【図１】本考案の実施例１を示すシートの平面図。
【図２】延長片の折曲時を示す概念図。
【図３】正面部の折曲時を示す概念図。
【図４】上面部の折曲時を示す概念図。
【図５】実施例１の全体斜視図。
【図６】図５のＡ−Ａ線断面図。
【図７】スマートフォンの挿入時を示す概念図。
【図８】図５のＢ−Ｂ線断面図。
【図９】実施例１の使用時の概念図。
【符号の説明】
【００２２】
１  シート
２  底面部
３  正面部
４  背面部
５  一辺
６  他辺
７  側辺
８  側面部
１０  上面部
１１、４３  折り線
１２  延長片
１３  第１延長片
１４  第２延長片
１６  挿入開口
２４  開口穴
２５  レンズ
３３  スマートフォン
３７  切欠凹部
４２  挿入間隔
【図１】
0003216030.tif 000003
【図２】
0003216030.tif 000004
【図３】
0003216030.tif 000005
【図４】
0003216030.tif 000006
【図５】
0003216030.tif 000007
【図６】
0003216030.tif 000008
【図７】
0003216030.tif 000009
【図８】
0003216030.tif 000010
【図９】
0003216030.tif 000011
【手続補正書】
【提出日】平成30年3月1日(2018.3.1)
【手続補正１】
【補正対象書類名】実用新案登録請求の範囲
【補正対象項目名】全文
【補正方法】変更
【補正の内容】
【実用新案登録請求の範囲】
【請求項１】
一枚のシートを折曲して成る箱型であって、このシートは、四角形状の底面部と、この底面部の一辺に連続する正面部と、上記底面部の一辺と対向する他辺に連続する背面部と、前記底面部において一辺及び他辺とは交差方向の一対の側辺に連続する一対の側面部と、前記正面部又は背面部に連続する上面部と、上記底面部、正面部、背面部、一対の側面部、及び上面部の隣接する各境界部分に設けた折り線とを備え、この折り線に沿って該シートを折曲することにより箱型に組み立て可能とし、上記正面部には、レンズにて被覆した一対の開口穴を備えるとともに、上記一対の側面部には、折り線を介して延長片を設け、組み立て完成時には、この延長片と背面部との間にスマートフォンを厚さ方向に挿入可能とする挿入間隔が形成されることを特徴とする組み立て式の箱型仮想現実体験眼鏡。
【請求項２】
延長片には背面部側の側縁に切欠凹部及び折り線を設け、組み立て時にこの折り線にて折曲してこの延長片の先端側を上面部と底面部との間に立設させることにより、この延長片の切欠凹部と背面部とによりスマートフォンの挿入間隔が形成されるとともに、この延長片によって、挿入間隔内に配置したスマートフォンの立設状態を保持可能とすることを特徴とする請求項１の組み立て式の箱型仮想現実体験眼鏡。